(57)【要約】      （修正有）【課題】巻取り機構を省略し、装置の軽量化を図ると共に、任意の掲示希望場所を手で操作して素早く特定、係止することができるカレンダー等スクロール表示具を提供する。【解決手段】上部中空円筒１と、下部中空円筒２を上下に配置し、スクロール画面部３の一端を上部中空円筒１の軸心に対してＴ字型に取付け、他端も下部中空円筒２の軸芯に対してＴ字型に取付け、手で巻取り、巻き戻しを自在にし、上部中空円筒にスクロール画面部３と一体に係止する挟持部材４を設け、下部中空円筒２にもスクロール画面部３を一体に係止する挟持部材４を設けると共に、上部中空円筒１に紐５を通して環状にした掛吊部６からなる構成とする。【選択図】図１
0003153833.tif 000002
【実用新案登録請求の範囲】
【請求項１】
上部中空円筒と、下部中空円筒を上下に配置し、帯状スクロール画面部の一端を上部中空円筒の軸心に対してＴ字型に取り付け、他端も下部中空円筒の軸芯に対してＴ字型に取りつけ、手で巻取り、巻戻しを自在にし、上部中空円筒に帯状スクロール画面部を一体に係止する挟持部材を設け、同様に下部中空円筒にも帯状スクロール画面部を一体に係止する挟持部材を設けると共に、上部中空円筒に紐を通して環状にした掛吊部からなる構成としたことを特徴とするカレンダー等スクロール表示具。
【請求項２】
請求項１記載の挟持部材は、伸縮自在の支持部材と、その両端にそれぞれフックをつけた構成であることを特徴とする請求項１記載のカレンダー等スクロール表示具。
【請求項３】
請求項１及び請求項２記載の挟持部材において、伸縮自在の支持部材と、その両端にそれぞれフックをつけた支持部材に、長手方向に透孔を設けた押当部材を併用することを特徴とする請求項１、請求項２記載のカレンダー等スクロール表示具。
【請求項４】
請求項１記載の挟持部材において、伸縮自在の支持部材と、その両端にそれぞれフックをつけた支持部材と、平面に透孔を複数個設けた押当部材を併用することを特徴とする請求項１記載のカレンダー等スクロール表示具。
【請求項５】
請求項１記載の挟持部材において、支持部材の一端を、挟み込みの長いフックにし、他端を挟み込みの短いフックに形成すると共に、挟持部材を一体に形成したことを特徴とする請求項１記載のカレンダー等スクロール表示具。
【請求項６】
請求項１記載の挟持部材において、上部中空円筒、下部中空円筒よりも長い支棹を２本と、及びその両端にそれぞれ支棹止具を装着することを特徴とする請求項１記載のカレンダー等スクロール表示具。
【考案の詳細な説明】
【技術分野】
【０００１】  本考案は、スクロール画面を手で巻き取り、或いは巻き戻して任意に選択した画面の範囲を表示するカレンダー等スクロール表示具に関する。
【背景技術】
【０００２】  従来の、例えば、［特許文献１］、［特許文献２］に開示されているような巻取式カレンダーは巻取機構や、それを保持する枠組のため装置が嵩張り、重量が増し、そのため吊下げて取付けるにも重量に耐える構造にする必要があった。又、カレンダー等は数ヶ月分を一度に表示するとか、また、表示したい画面が風景、書、絵画、グラフィック等で、長い画面、短い画面及び順不同の表示画面が必要な場合には画面の選択、設定作業に時間がかかる欠点があった。また、スクロール画面の横幅を大きくしたい場合、装置の重量が更に増加し、スクロール画面の強度も更に高いものにせざるを得ず、取り扱い面とコスト面から大画面を表示することは困難であった。【０００３】
【特許文献１】特開平−２６７９６０
【特許文献２】実用新案登録第３０９１５８４号
【考案の開示】
【考案が解決しようとする課題】
【０００４】  本考案は、巻取機構を簡略化し、装置の軽量化を図ると共に、任意の掲示希望場所を手で素早く特定し、ワンタッチで係止し、目的の画面表示ができ、更に、スクロール画面を幅広い大画面の表示ができるカレンダー等スクロール表示具を提供する。
【課題を解決するための手段】
【０００５】  上記課題の目的を達成するため、上部中空円筒と、下部中空円筒を上下に配置し、スクロール画面部の一端を上部中空円筒の軸心に対してＴ字型に取付け、他端も下部中空円筒の軸芯に対してＴ字型に取付け、手で巻取り、巻き戻しを自在にし、上部中空円筒にスクロール画面部と一体に係止する挟持部材を設け、下部中空円筒にもスクロール画面部を一体に係止する挟持部材を設けると共に、上部中空円筒に紐を通して環状にした掛吊部からなる構成とする。【０００６】  請求項１に記載の挟持部材を、伸縮自在の支持部材と、その両端にそれぞれフックをつけた構成とする。【０００７】  請求項１及び請求項２の挟持部材を、伸縮自在の支持部材と、その端末にそれぞれフックをつけた支持部材に、長手方向に透孔を設けた押当部材を併用する構成とする。【０００８】  請求項１記載の挟持部材において、伸縮自在の支持部材と、その両端にそれぞれフックをつけたものと、透孔を平面に複数個設けた押当部材を併用する構成とする。【０００９】  請求項１記載の挟持部材において、支持部材の一端に挟込部の長いフックと、他端に、挟込部の短いフックを設け、挟持部材を一体に形成する。【００１０】  請求項１記載の挟持部材において、上部中空円筒、下部中空円筒よりも長い支棹２本と、端末の支棹止具で中空円筒とスクロール画面部を一体に挟持する構成とする。
【考案の効果】
【００１１】  従って本考案によれば、上部中空円筒と下部中空円筒の軸芯に対してＴ字状にスクロール画面部を精密に取りつけると、平面に置いて、中空円筒を手で転がすだけでスクロール画面部が上側からでも、下側からでも正確に巻き取ることができるので、任意に選択する画面が上下に離れていても速やかに特定できて選択表示するまでの時間が短縮される効果がある。【００１２】  選択した特定画面の係止に要する時間は、選択画面の上側と下側において、中空円筒に挟持部材のフックを掛け、引き伸ばして、他端にフックを掛ける作業だけで装着、フックを外すだけで離脱できるので秒単位で終了できる効果を奏す。【００１３】  巻取り装置とガイドや、カバー部品等を省略して装置の軽量化ができるので、その結果、波及的にスクロール画面部を更に長尺で収容しても画面の破断強度の対策は不要となり、コストも抑えられる効果がある。【００１４】  また、装置の軽量化により画面を幅広のスクロール画面としても使用を可能になり、今まで無かった表示手段ができるので用途を拡大できる効果がある。【００１５】  挟持部材は、カレンダー等スクロール表示具を吊り下げて見るとき、スクロール画面部の印刷面（表）を内巻きにすると前面から見えないが、外巻き側（裏）には挟持部材が見える状態になり挟持部材を見せるか、見せないかの使い分けができる効果がある。【００１６】  スクロール画面部の横幅が広くなっても、挟持部材の支持部材に、押当部材を選ぶことにより、画面の幅の中ほどに生じるたるみや、破損、滑りを防止でき、大きな画面が正しく掲示できる効果がある。【００１７】  支棹を用いた挟持部材の場合、支棹及び支棹止具の形状・材質・構造で挟持圧力を容易に調整でき、単純な構成にできる効果がある。
【考案を実施するための最良の形態】
【００１８】  中空円筒を上下に配置し、カレンダーや、風景、書、絵画等を印刷したスクロール画面部の両端が上部中空円筒と下部中空円筒の軸芯に対してそれぞれ精密にＴ字型に取り付けることにより、平面に置いて中空円筒を転がすだけでスクロール画面部を手で正確に、ずれることもなく巻き取ることができるので、巻取装置とガイド、カバー部品がなくても、上部中空円筒と、下部中空円筒のどちらから巻き込んでも画面がずれないで巻き取れ、任意の長さの画面を選択することに集中できる。【００１９】  そしてスクロール画面部から選択画面を、任意の位置で一時係止させるため、挟持部材を用いる。挟持部材は、伸縮自在の支持部材とその両端にそれぞれフックをつけて構成したもので、任意画面を選択してその位置で、先ず、上部中空円筒の一端にフックを掛け、支持部材を引っ張り、スクロール画面部を中空円筒とで挟みながら、今一方のフックを上部中空円筒の他端へ掛けて挟持部材の係止を終る。次に下部中空円筒についても同様に中空円筒の一端にフックを掛け、支持部材を引っ張り、スクロール画面部と中空円筒を挟んで、今一方のフックを下部中空円筒の他端へ掛けて挟持部材の係止を終る。【００２０】  挟持部材において、伸縮自在の支持部材と、その両端にそれぞれフックをつけ、支持部材に、透孔した押当部材を併用し、支持部材と一体で使用して、スクロール画面部を均等に挟みつけ、画面の滑り止めをより効果的に行うものである。【００２１】  その押当部材は、挟持部材の支持部材と並行に設ける。押当部材の形態は例えば、棒材、角材を長手方向に透孔したパイプ状態でその孔に支持部材を通した形式や、断面がＵ字型、やチャンネル型、や矩形型等で、平板状態の押当部材の表面に、複数の透孔を設け、支持部材を編み込んで通し一体化させるもの。また、平板状態の押当部材の表面に、複数の透孔を設け、それぞれの透孔と押当部材の周辺から切込みを入れて切欠の隙間をつくり、連通させ、支持部材を編み込み易くして一体化するもの。などがある。押当部材の適材は、スクロール画面部の滑り止め効果のあるものが最も好ましい。【００２２】  挟持部材は、次のような構成も同じ目的を達成する。硬い支持部材を用い、支持部材の両端にそれぞれ伸縮自在の弾性体を介してフックを設ける構成とし、支持部材として系止時にスクロール画面部を強力に均等に支え、画面を破損せず、滑らなない形式として用いる。特に幅広い画面の構造のときには望ましい。また支持部材には、断面が棒状、角状、板状、弧状等が用いられ、スクロール画面部の横幅が特に広い場合に強力な補強で滑り止めの抵抗を増す。【００２３】  また、挟持部材は、次の構成でもまた同じ目的を達成する。屈曲可能の支持部材の両端フックの挟持部分において、長短の差をつけ、先に長い方から中空円筒に差込み、中空円筒と共にスクロール画面部を挟み、次に短い方のフックを中空円筒の他端に差し込み装着する。長いフックのはみ出し部分を中に戻して中空円筒の左右のはみ出しをバランスよく係止する。屈曲可能な支持部材には、木材、プラスチック、硬質ゴム、竹等で一体に成型するのが望ましい。【００２４】  さらに、支持部材、特に押当部材を彩色、透明、不透明、模様、装飾等を施���たものや、文字表示、形態加工を施して支障なく、スクロール画面部の保護と支持部材の外観の変化をつける機能として活用する。【００２５】  今までに述べてきた挟持部材とは形態は多少異なるが、同じ目的を達成する。従って、支棹２本を揃え、一端に支棹止具を取付け、上部中空円筒と、スクロール画面部を挟んだ後、他端の支棹２本に支棹止具を取付ける。下部中空円筒も同様に操作して表示画面の上辺と下辺を挟持し、掛吊部を持ち上げると表示が完了する。
【実施例】
【００２６】  以下、添付図面に従って実施例を説明する。図１は本考案の全体図であり、図１（ａ）は本考案の正面図で、図１（ｂ）はその右側面図でこれを併記したものである。構成を理解し易くするために、上、下中空円筒１、２の右端末のキャップ１１は省略した。図１（ａ）は、スクロール画面部３の正面に選択した特定画面があり、そのときの巻込み方を内巻きと称している場合の状態である。図１（ｂ）は本考案の右側面から見たもので、内巻きの状態を明瞭に示す。掛吊部６を吊り下げると重力によりバランスし、スクロール画面部３が垂直になるとき、挟持部材４は自動的に裏面に回転し、正面から見てスクロール画面部３の背後に隠れる様子を示している。【００２７】  図２は、挟持部材４の装着要領について説明する平面図である。図２（ｃ）は、スクロール画面部３を平らに置いて、選択した特定画面を正面に見える状態にするため、左右から内側に巻取りや、巻戻しをするものである。以下この要領を内巻きと称する。挟持部材４の装着要領は、先ず選択画面を正面に出し、選択画面の上辺側の上部中空円筒１の一端に、支持部材７の一端にあるフック８を掛け、伸縮自在の支持部材７をスクロール画面部３の上面で引っ張り、支持部材７の他端にあるフック８を上部中空円筒１の一端に掛ける。この操作で上部中空円筒１はスクロール画面部３を挟むことになり、選択した特定画面の上辺で一体に挟持して係止する。【００２８】  次に、下部中空円筒２側についても、選択画面の下辺側の下部中空円筒２の他端に掛ける。前同様操作で挟持部材４の装着を行い、選択した特定画面の下辺を一体に挟持して係止する。そして、掛吊部６を吊るすと、挟持部材４は自動的に半戻しされて裏面に回転し、スクロール画面部３の背後に隠れる。図１（ｂ）と同じ状態を示している。【００２９】  図２（ｄ）は、図２（ｃ）の側面図である。挟持部材４の装着後の状況を分り易くするための補足図である、掛吊部６を吊るすと、挟持部材４は自動的に裏面に回転し、スクロール画面部３の背後に隠れるのは、図１（ｂ）と同じ状態を示している。【００３０】  図３は、図１の裏面を示す。従って図３（ｆ）は、図１（ａ）の裏面を示し、図３（ｅ）は、その左側面を示すもので、図１（ｂ）を裏面から見たときの状態を示す。即ち、スクロール画面部３を内巻きにした状態のものを裏返すと挟持部材４が見える。【００３１】  スクロール画面部３を片面のみ印刷表示する場合、スクロール画面部３の基本型である内巻きしかできず、挟持部材４は常に見えない状態である。両面を印刷表示した場合、挟持部材４を見えないようにするには、掲示したい画面が正面に現れるように、一旦スクロール画面部３を広げ、内巻きに転がして巻き直す。また、挟持部材４を見えるようにするには、掲示したい画面と関係ない面を内巻きにして選択画面が裏面に現れるようにして選択画面を特定し、裏面を見せるように吊り下げる。【００３２】  図４は、図３（ｆ）で、上部中空円筒１の一部を切欠いた部分拡大断面図であり、本考案を吊り下げ、挟持部材４を装着して係止した状態を示すものである。【００３３】  図５は、挟持部材４の実施例１を示す正面図で、ゴム紐及び同等の伸縮自在の支持部材７とその両端��それぞれフック８、８をつけて構成し、図１、図２、図３、図４、図５、図６、図８にその実施状態を示す。スクロール画面部３と上部中空円筒１、下部中空円筒２に、それぞれで一体に系止する。伸縮自在の支持部材７には、ゴム紐の他にもゴムベルトやスプリング等を用いても代替できる。【００３４】  さらに図６は、挟持部材４の実施例２で、支持部材７とフック８、８の押当部材１０の正面の断面図を示す。挟持部材４として棒材、角材を長手方向に透孔し、パイプ状態の孔に支持部材７、フック８を通したものを用いる。スクロール画面部３の挟持力を補強し係止効果をあげる。押当部材１０を見せることができるので装飾、美観の創出や、広告等に適用できる。【００３５】  図７は、挟持部材４の実施例２の右断面図であり、図６押当部材１０の側面から見た断面図を示すもので、基本的には筒状で、図７（ａ）は円筒形の場合、と図７（ｂ）は角筒形の等がある。【００３６】  図８は、図６の押当部材１０に替わる押当部材１０を用いた挟持部材４の実施例３である。挟持部材４の実施例を図８（ｃ）と、図８（ｄ）に示す。押当部材１０は平板状、円弧状、チャンネル状等があり、支持部材７に沿わせるために押当部材１０の両端末近くに透孔１２、１２を設け、支持部材７を編み込んで通し、挟持部材４を一体に形成する。押当部材１０の片面に支持部材７を沿わせるために切欠部９を設けることは必要に応じて行う。【００３７】  図８（ｅ）は、挟持部材４の実施例４であり、透孔１２、１２に、押当部材１０の外縁から連通した切欠部９、９を設け、支持部材７を切欠部９、９を通すとき、編み込みやすくし、挟持部材４を一体に形成することができるので他の押当部材と同様に用いられる。挟持部材４を取りつけてから後でも装着できる。【００３８】  さらに図９は挟持部材４の実施例５である。次のような構成も同じ目的を達成する。特に剛性のある押当部材１０を用い、押当部材１０の両端にそれぞれ伸縮自在の支持部材７、７を介しフック８、８を設けて挟持部材４を構成する。押当部材１０は系止時にスクロール画面部３を均等に、強力に支えることができ、滑難い形式として用いる。特に幅広い画面の構造のときに有効である。また、板状、角型状が多用され、強度の補強と滑り止めの抵抗を増すことができる。これらに工芸的加工を施すことができるのは、他の挟持部材４の場合と同様である。【００３９】  図１０は挟持部材４の実施例６である。挟持部材４を、挟込部の長いフック８（ｐ）と挟込部の短いフック８（ｑ）と、支持部材７を一体に形成する。例えばプラスティックで一体成形することは容易である。屈曲可能な支持部材７、の両端にそれぞれフック８（ｐ）、と８（ｑ）の長短の差をつけたものを設け、先に長い方のフック８（ｐ）から上部中空円筒１の一端に差込み、スクロール画面部３を同時に挟み、次に短い方のフック８（ｑ）を上部中空円筒１の他端に差込み装着する。次に、長いフック８（ｐ）のはみ出し部分を中に押戻し、上部中空円筒１からの左右のはみ出し分の見た目のバランスをよくして係止する。下部中空円筒２についても同様に操作する。屈曲可能な支持部材７はこの他に木材、竹、金属等々が用いられ、フック８の形状を弾力性があるよう��設計することが望ましい。【００４０】  図１１は挟持部材４の実施例７の装着状態を示す実施例の斜視図である。図は２本の支棹１３、１３により、上部中空円筒１、とスクロール画面部３を挟み、支棹止具１４、１４で係止する。下部中空円筒２についても同様に操作する。支棹１３、１３は竹が好ましいがスクロール画面部３の横幅が相当広い時は金属を型材加工したものでも代替できる。
図１１の支棹止具１４，１４はゴム輪を用いた事例を示してあるが、スクロール画面部３の巻取り厚み分を許容するだけの弾力性があれば形状はスプリングでも用いられる。【００４１】  作業の順序は、支棹２本１３，１３を揃えた一端に支棹止具１４のゴム輪を装着し、上部中空円筒１とスクロール画面部３を挟んだ後、他端の支棹二本１３，１３にも支棹止具１４のゴム輪を装着する。下部中空円筒２も同様に操作して挟持し、画面の表示を特定する。
【図面の簡単な説明】
【００４２】
【図１】本考案の全体構造を示し、挟持部材事例５の正面図である。画面部を内巻にし、中空円筒の右端のキャップを省略した時の正面図（ａ）と右側面図（ｂ）である。
【図２】本考案の挟持部材の装着に関する説明図で、正面図（ｃ）と側面図（ｄ）である。
【図３】図１を背面から見た裏面図（ｆ）と側面図（ｇ）である。
【図４】図１を背面から見た裏面図（ｇ）の上部中空円筒の部分断面図である。
【図５】挟持部材実施例１の正面図である。
【図６】挟持部材実施例２の押当部材正面の断面図である。
【図７】挟持部材実施例２の押当部材の右断面図、図７（ａ）と図７（ｂ）。
【図８】挟持部材実施例３の押当部材の斜視図、図８（ｃ）と図８（ｄ）。及び挟持部材事例４、図８（ｅ）
【図９】挟持部材実施例５の正面図である。
【図１０】挟持部材実施例６の正面図である。
【図１１】挟持部材実施例７の部分斜視図である。
【符号の説明】
【００４３】１  上部中空円筒
２  下部中空円筒
３  スクロール画面部
４  挟持部材
５  紐
６  掛吊部
７  支持部材
８  フック
８（ｐ）  長いフック
８（ｑ）  短いフック
９  切欠部
１０  押当部材
１１  キャップ
１２  透孔
１３  支棹
１４  支棹止具
【図１】
0003153833.tif 000003
【図２】
0003153833.tif 000004
【図３】
0003153833.tif 000005
【図４】
0003153833.tif 000006
【図５】
0003153833.tif 000007
【図６】
0003153833.tif 000008
【図７】
0003153833.tif 000009
【図８】
0003153833.tif 000010
【図９】
0003153833.tif 000011
【図１０】
0003153833.tif 000012
【図１１】
0003153833.tif 000013
【手続補正書】
【提出日】平成21年6月25日(2009.6.25)
【手続補正１】
【補正対象書類名】実用新案登録請求の範囲
【補正対象項目名】全文
【補正方法】変更
【補正の内容】
【実用新案登録請求の範囲】
【請求項１】
上部中空円筒と、下部中空円筒を上下に配置し、帯状スクロール画面部の一端を前記上部中空円筒の軸心に対してＴ字型に取り付け、前記帯状スクロール画面部の他端も前記下部中空円筒の軸芯に対してＴ字型に取りつけ、手で巻取り、巻戻しを自在にし、前記上部中空円筒に前記帯状スクロール画面部を一体に係止する挟持部材を設け、同様に前記下部中空円筒にも前記帯状スクロール画面部を一体に係止する前記挟持部材を設けると共に、前記上部中空円筒に紐を通して環状にした掛吊部からなる構成としたことを特徴とするカレンダー等スクロール表示具。
【請求項２】
前記挟持部材は、伸縮自在の支持部材と、その両端にそれぞれフックをつけた構成であることを特徴とする請求項１記載のカレンダー等スクロール表示具。
【請求項３】
前記挟持部材において、伸縮自在の支持部材と、その両端にそれぞれフックをつけた支持部材に、長手方向に透孔を設けた押当部材を併用することを特徴とする請求項１又は２記載のカレンダー等スクロール表示具。
【請求項４】
前記挟持部材において、伸縮自在の支持部材と、その両端にそれぞれフックをつけた支持部材と、平面に透孔を複数個設けた押当部材を併用することを特徴とする請求項１記載のカレンダー等スクロール表示具。
【請求項５】
前記挟持部材において、一端を挟み込みの長いフックにし、他端を挟み込みの短いフックに形成すると共に、挟持部材を一体に形成したことを特徴とする請求項１記載のカレンダー等スクロール表示具。
【請求項６】
前記挟持部材において、上部中空円筒、下部中空円筒よりも長い支棹を２本と、及びその両端にそれぞれ支棹止具を装着することを特徴とする請求項１記載のカレンダー等スクロール表示具。